【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
ユーザが操作するユーザ端末が、前記ユーザ端末とネットワークを通じて接続された情報格納サーバとの間でデータの送受信を行う情報個別管理方法であって、
前記ユーザ端末が、前記ユーザが選択した前記ユーザ端末のディスプレイに表示するコンテンツデータを前記コンテンツデータの格納場所であるアドレスにより特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、
前記ユーザ端末が、前記ユーザ端末のディスプレイに表示するコンテンツデータの表示要求を前記情報格納サーバに送信するステップと、
前記ユーザ端末が、前記情報格納サーバに格納された個別表示データリストから、前記ユーザの識別情報をキーに特定された前記ユーザに対応する個別表示データリストを受信して保存する第１の個別表示データリスト受信ステップと、
前記ユーザ端末が、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、
前記ユーザ端末が、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、
前記ユーザ端末が、前記第２の個別表示データリスト受信ステップで受信した個別表示データリストを前記第２の個別表示データリスト受信ステップで受信した個別表示データリストと比較して、同一のディスプレイ上の表示位置に対応するアドレスが変更されたコンテンツデータを前記アドレスから取得して、前記コンテンツデータを前記表示位置に表示する第２のコンテンツデータ表示ステップと、
を有すること特徴とする情報個別管理方法。
【請求項２】
ユーザが操作するユーザ端末が、前記ユーザ端末とネットワークを通じて接続された情報格納サーバとの間でデータの送受信を行う情報個別管理方法であって、
前記ユーザ端末が、前記ユーザが選択した前記ユーザ端末のディスプレイに表示するコンテンツデータを前記コンテンツデータの格納場所であるアドレスにより特定する情報及び前記コンテンツデータの更新時刻を示すパラメータ、並びに前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、
前記ユーザ端末が、前記ユーザ端末のディスプレイに表示するコンテンツデータの表示要求を前記情報格納サーバに送信するステップと、
前記ユーザ端末が、前記情報格納サーバに格納された個別表示データリストから、前記ユーザの識別情報をキーに特定された前記ユーザに対応する個別表示データリストを受信して保存する第１の個別表示データリスト受信ステップと、
前記ユーザ端末が、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、
前記ユーザ端末が、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、
前記ユーザ端末が、前記第２の個別表示データリスト受信ステップで受信した個別表示データリストを前記第２の個別表示データリスト受信ステップで受信した個別表示データリストと比較して、同一のディスプレイ上の表示位置に対応するパラメータが更新されたコンテンツデータを前記アドレスから取得して、前記コンテンツデータを前記表示位置に表示する第２のコンテンツデータ表示ステップと、
を有すること特徴とする情報個別管理方法。
【請求項３】
ユーザが操作するユーザ端末において、前記ユーザ端末とネットワークを通じて接続された情報格納サーバとの間でデータの送受信を行うための情報個別管理プログラムであって、前記ユーザ端末に、
前記ユーザが選択した前記ユーザ端末のディスプレイに表示するコンテンツデータを前記コンテンツデータの格納場所であるアドレスにより特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、
前記ユーザ端末のディスプレイに表示するコンテンツデータの表示要求を前記情報格納サーバに送信するステップと、
前記情報格納サーバに格納された個別表示データリストから、前記ユーザの識別情報をキーに特定された前記ユーザに対応する個別表示データリストを受信して保存する第１の個別表示データリスト受信ステップと、
前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、
前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、
前記第２の個別表示データリスト受信ステップで受信した個別表示データリストを前記第２の個別表示データリスト受信ステップで受信した個別表示データリストと比較して、同一のディスプレイ上の表示位置に対応するアドレスが変更されたコンテンツデータを前記アドレスから取得して、前記コンテンツデータを前記表示位置に表示する第２のコンテンツデータ表示ステップと、
を実行させることを特徴とする情報個別管理プログラム。
【請求項４】
ユーザが操作するユーザ端末において、前記ユーザ端末とネットワークを通じて接続された情報格納サーバとの間でデータの送受信を行うための情報個別管理プログラムであって、前記ユーザ端末に、
前記ユーザが選択した前記ユーザ端末のディスプレイに表示するコンテンツデータを前記コンテンツデータの格納場所であるアドレスにより特定する情報及び前記コンテンツデータの更新時刻を示すパラメータ、並びに前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、
前記ユーザ端末のディスプレイに表示するコンテンツデータの表示要求を前記情報格納サーバに送信するステップと、
前記情報格納サーバに格納された個別表示データリストから、前記ユーザの識別情報をキーに特定された前記ユーザに対応する個別表示データリストを受信して保存する第１の個別表示データリスト受信ステップと、
前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、
前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、
前記第２の個別表示データリスト受信ステップで受信した個別表示データリストを前記第２の個別表示データリスト受信ステップで受信した個別表示データリストと比較して、同一のディスプレイ上の表示位置に対応するパラメータが更新されたコンテンツデータを前記アドレスから取得して、前記コンテンツデータを前記表示位置に表示する第２のコンテンツデータ表示ステップと、
を実行させることを特徴とする情報個別管理プログラム。
【手続補正２】
【補正対象書類名】明細書
【補正対象項目名】発明の名称
【補正方法】変更
【補正の内容】
【発明の名称】情報個別管理方法及び情報個別管理プログラム
【手続補正３】
【補正対象書類名】明細書
【補正対象項目名】０００１
【補正方法】変更
【補正の内容】
【０００１】
本発明は、ネットワークを介してユーザ端末に於いて最新のデータを保存し格納する情報個別管理システム、情報個別管理方法及び情報個別管理プログラムに関するものである。更に詳しくは、ユーザ毎に必要となる個別データ格納空間を情報格納サーバ上に作成し、その個別データ格納空間にはユーザに必要となるデータの格納先を格納することにより少ない容量でユーザ毎に適した情報を送信し提供する情報個別管理方法及び情報個別管理プログラムに関するものである。
【手続補正４】
【補正対象書類名】明細書
【補正対象項目名】０００７
【補正方法】変更
【補正の内容】
【０００７】
本発明者らは上記問題点に鑑み、ユーザ毎の情報を格納できる情報格納サーバに、ユーザ毎に参照できる個別データ格納空間を作成することによって、ユーザが使用している端末のＩＰアドレスに左右されることなく、ユーザがどのような端末を使用していようとも、情報格納サーバに格納しているユーザ毎の情報を送信し提供できる、情報個別管理方法及び情報個別管理プログラムを発明した。
【手続補正５】
【補正対象書類名】明細書
【補正対象項目名】００１０
【補正方法】変更
【補正の内容】
【００１０】
請求項１に記載の発明は、ユーザが操作するユーザ端末が、前記ユーザ端末とネットワークを通じて接続された情報格納サーバとの間でデータの送受信を行う情報個別管理方法であって、前記ユーザ端末が、前記ユーザが選択した前記ユーザ端末のディスプレイに表示するコンテンツデータを前記コンテンツデータの格納場所であるアドレスにより特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、前記ユーザ端末が、前記ユーザ端末のディスプレイに表示するコンテンツデータの表示要求を前記情報格納サーバに送信するステップと、前記ユーザ端末が、前記情報格納サーバに格納された個別表示データリストから、前記ユーザの識別情報をキーに特定された前記ユーザに対応する個別表示データリストを受信して保存する第１の個別表示データリスト受信ステップと、前記ユーザ端末が、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、前記ユーザ端末が、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、前記ユーザ端末が、前記第２の個別表示データリスト受信ステップで受信した個別表示データリストを前記第２の個別表示データリスト受信ステップで受信した個別表示データリストと比較して、同一のディスプレイ上の表示位置に対応するアドレスが変更されたコンテンツデータを前記アドレスから取得して、前記コンテンツデータを前記表示位置に表示する第２のコンテンツデータ表示ステップと、を有すること特徴とする情報個別管理方法である。請求項２に記載の発明は、ユーザが操作するユーザ端末が、前記ユーザ端末とネットワークを通じて接続された情報格納サーバとの間でデータの送受信を行う情報個別管理方法であって、前記ユーザ端末が、前記ユーザが選択した前記ユーザ端末のディスプレイに表示するコンテンツデータを前記コンテンツデータの格納場所であるアドレスにより特定する情報及び前記コンテンツデータの更新時刻を示すパラメータ、並びに前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、前記ユーザ端末が、前記ユーザ端末のディスプレイに表示するコンテンツデータの表示要求を前記情報格納サーバに送信するステップと、前記ユーザ端末が、前記情報格納サーバに格納された個別表示データリストから、前記ユーザの識別情報をキーに特定された前記ユーザに対応する個別表示データリストを受信して保存する第１の個別表示データリスト受信ステップと、前記ユーザ端末が、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、前記ユーザ端末が、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、前記ユーザ端末が、前記第２の個別表示データリスト受信ステップで受信した個別表示データリストを前記第２の個別表示データリスト受信ステップで受信した個別表示データリストと比較して、同一のディスプレイ上の表示位置に対応するパラメータが更新されたコンテンツデータを前記アドレスから取得して、前記コンテンツデータを前記表示位置に表示する第２のコンテンツデータ表示ステップと、を有すること特徴とする情報個別管理方法である。
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
請求項３に記載の発明は、ユーザが操作するユーザ端末において、前記ユーザ端末とネットワークを通じて接続された情報格納サーバとの間でデータの送受信を行うための情報個別管理プログラムであって、前記ユーザ端末に、前記ユーザが選択した前記ユーザ端末のディスプレイに表示するコンテンツデータを前記コンテンツデータの格納場所であるアドレスにより特定する情報及び前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、前記ユーザ端末のディスプレイに表示するコンテンツデータの表示要求を前記情報格納サーバに送信するステップと、前記情報格納サーバに格納された個別表示データリストから、前記ユーザの識別情報をキーに特定された前記ユーザに対応する個別表示データリストを受信して保存する第１の個別表示データリスト受信ステップと、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、前記第２の個別表示データリスト受信ステップで受信した個別表示データリストを前記第２の個別表示データリスト受信ステップで受信した個別表示データリストと比較して、同一のディスプレイ上の表示位置に対応するアドレスが変更されたコンテンツデータを前記アドレスから取得して、前記コンテンツデータを前記表示位置に表示する第２のコンテンツデータ表示ステップと、を実行させることを特徴とする情報個別管理プログラムである。請求項４に記載の発明は、ユーザが操作するユーザ端末において、前記ユーザ端末とネットワークを通じて接続された情報格納サーバとの間でデータの送受信を行うための情報個別管理プログラムであって、前記ユーザ端末に、前記ユーザが選択した前記ユーザ端末のディスプレイに表示するコンテンツデータを前記コンテンツデータの格納場所であるアドレスにより特定する情報及び前記コンテンツデータの更新時刻を示すパラメータ、並びに前記コンテンツデータのディスプレイ上の表示位置に関する情報を含む個別データを、前記情報格納サーバに前記個別データに前記ユーザを識別する識別情報を付した個別表示データリストとしてユーザ別に格納するために送信するステップと、前記ユーザ端末のディスプレイに表示するコンテンツデータの表示要求を前記情報格納サーバに送信するステップと、前記情報格納サーバに格納された個別表示データリストから、前記ユーザの識別情報をキーに特定された前記ユーザに対応する個別表示データリストを受信して保存する第１の個別表示データリスト受信ステップと、前記個別表示データリストにおいて指定された前記ユーザ端末のディスプレイ上の表示位置に、前記個別表示データリストにおいて指定されたアドレスから取得したコンテンツデータを表示する第１のコンテンツデータ表示ステップと、前記第１のコンテンツデータ表示ステップから所定の時間が経過すると、前記情報格納サーバに格納された個別表示データリストから、前記ユーザの識別情報をキーに特定された前記ユーザに対応する個別表示データリストを受信して保存する第２の個別表示データリスト受信ステップと、前記第２の個別表示データリスト受信ステップで受信した個別表示データリストを前記第２の個別表示データリスト受信ステップで受信した個別表示データリストと比較して、同一のディスプレイ上の表示位置に対応するパラメータが更新されたコンテンツデータを前記アドレスから取得して、前記コンテンツデータを前記表示位置に表示する第２のコンテンツデータ表示ステップと、を実行させることを特徴とする情報個別管理プログラムである。
【手続補正９】
【補正対象書類名】明細書
【補正対象項目名】００１７
【補正方法】削除
【補正の内容】